(57)【要約】  【課題】  縦撮りした動画を再生する際、横長姿勢の表示部に縦長の動画を表示させることができる。  【解決手段】  レンズ１０ａ及び撮像素子１０ｂを有する動画撮像部１０の撮像姿勢が縦撮り姿勢であることを検出する姿勢検出部２０と、撮像した動画を記録する際、縦撮り姿勢で動画が撮像されたことを示す縦撮情報を記録する手段とを備え、動画を再生する際、前記縦撮情報に基づいて縦撮りされた動画であるか否かを判定し、判定結果に応じて動画を略９０度回転させて表示部３に表示させるように動画撮像装置を構成する。【選択図】        図２
2005341087.tif 000002
【特許請求の範囲】
【請求項１】
略長方形の撮像素子を有し、動画を撮像する動画撮像部と、略長方形の表示部とを備え、前記表示部が横長姿勢の場合、前記動画撮像部は横長の動画を撮像し、撮像された動画を再生して横長姿勢の前記表示部に表示するようにしてある動画撮像装置において、
前記動画撮像部が動画を撮像する場合、前記表示部が縦長姿勢にあることを検出する検出手段と、
縦長姿勢にあることを前記検出手段が検出した場合、前記表示部を縦長姿勢にして動画が撮像されたことを示す縦撮情報及び前記動画を記録する記録手段と、
該記録手段により記録した縦撮情報が付加された動画を再生する場合、記録した動画を略９０度回転させて前記横長姿勢の表示部に表示させる回転表示手段と
を備えることを特徴とする動画撮像装置。
【請求項２】
前記検出手段は、
前記表示部が、横長姿勢にある表示部の右倒し又は左倒しのいずれの縦長姿勢にあるかを検出するようにしてあり、
前記縦撮情報は、
縦長姿勢にある表示部の右倒し又は左倒しに係る情報を含み、
前記回転表示手段は、
前記情報に応じて前記動画を右回り又は左回りに略９０度回転させて表示するようにしてあることを特徴とする請求項１に記載の動画撮像装置。
【請求項３】
略長方形の撮像素子を有し、動画を撮像する動画撮像部と、略長方形の表示部とを備え、前記動画撮像部が撮像して記録した動画を再生して横長姿勢の前記表示部に表示するようにしてある動画撮像装置において、
前記撮像素子の中心回りに前記撮像素子を回動自在に支持する回動支持部と、
前記動画撮像部が動画を撮像する場合、前記撮像素子が前記横長姿勢の表示部に対して縦長姿勢にあることを検出する検出手段と、
前記撮像素子が縦長姿勢にあることを前記検出手段が検出した場合、縦長姿勢で動画が撮像されたことを示す縦撮情報及び前記動画を記録する記録手段と、
該記録手段により記録した縦撮情報が付加された動画を再生する場合、記録した動画を略９０度回転させて前記横長姿勢の表示部に表示させる回転表示手段と
を備えることを特徴とする動画撮像装置。
【請求項４】
前記横長姿勢の表示部に対して前記撮像素子を縦長姿勢にする指示を受け付ける受付手段と、
該受付手段が前記指示を受け付けた場合、前記撮像素子を略９０度回動させて縦長姿勢にする回動手段と
を備えることを特徴とする請求項３に記載の動画撮像装置。
【請求項５】
前記回転表示手段は、
前記撮像素子が縦長姿勢にあることを前記検出手段が検出した場合、前記動画撮像部が撮像した動画を略９０度回転させて前記横長姿勢の表示部に表示させる手段を備えること特徴とする請求項３又は請求項４に記載の動画撮像装置。
【請求項６】
前記回転表示手段は、
前記記録手段により動画及び縦撮情報が複数記録されている場合、前記複数の動画を並べて表示させる手段を備えることを特徴とする請求項１乃至請求項５のいずれか一つに記載の動画撮像装置。
【請求項７】
外部の表示装置が接続され、接続された表示装置に再生される動画を出力する手段を備えることを特徴とする請求項１乃至請求項６のいずれか一つに記載の動画撮像装置。
【発明の詳細な説明】
【技術分野】
【０００１】
本発明は、略長方形の撮像素子で撮像した動画の記録及び再生を行う動画撮像装置に関し、特に、動画を表示部に表示させて再生する動画撮像装置に関する。
【背景技術】
【０００２】
図１４は、従来の動画撮像装置の略示斜視図である。従来の動画撮像装置は、レンズ１０ａ、及びアスペクト比が４／３の撮像素子１０ｂを有し、動画を撮像する動画撮像部１０と、動画撮像部１０を上側に有する略直方体の本体部１とを備える。背面視で本体部１の左側面１ａには、動画撮像部１０が撮像した動画を表示する略長方形の表示部３が枢支されている。動画撮像部１０は、表示部３が横長姿勢の場合、被写体が正立した横長の動画を撮像する。動画撮像部１０が撮像する動画に係る動画データは、ＭＰＥＧ２又はＭｏｔｉｏｎＪＰＥＧ等の方式により圧縮され、記録再生部によって磁気テープ、ＤＶＤ（Ｄｉｇｉｔａｌ  Ｖｅｒｓａｔｉｌｅ  Ｄｉｓｃ）、又は半導体メモリ等の記録媒体に記録される。また、記録媒体に記録された動画を再生する場合、記録再生部は記録媒体から動画データを読み出し、読み出した動画データを伸張して、動画を表示部３に表示する（特許文献１）。
【０００３】
また動画撮像装置は、外付けされるアスペクト比が４／３の表示装置Ａが接続される動画出力部５を備えており、動画出力部５に表示装置Ａを接続した場合、記録再生部により再生される動画は外付けの表示装置Ａにも表示される。
【０００４】
このように構成される動画撮像装置においては、動画撮像部１０により正立した被写体が横長の動画として撮像される横撮りを行う場合、横長姿勢の表示部３又は表示装置Ａに、正立した被写体が横長の動画として表示される。
【０００５】
また、図１４（ａ）に示すように動画撮像装置を背面視で右倒しにして、動画撮像部１０により正立した被写体が縦長の動画として撮像される縦撮りを行う場合、動画撮像装置と共に表示部３も右倒しの縦長姿勢となるため、縦長姿勢の表示部３に正立した被写体が縦長の動画として表示される。
【特許文献１】特開平６−１６９４１８号公報
【発明の開示】
【発明が解決しようとする課題】
【０００６】
しかしながら、図１４（ａ）に示すように縦撮りして動画を記録する場合であっても、動画撮像装置は撮像姿勢に関わらず、横長の動画として記録する。そして、縦撮りした動画を再生して表示部３に表示させる場合、図１４（ｂ）に示すように横撮り姿勢に動画撮像装置を保持した状態においては、横長姿勢の表示部３に、被写体が横倒しとなる横長の動画が表示される。従って、動画撮像装置を縦撮り姿勢に保持して再生する必要があるという問題があった。縦撮りした動画を表示装置Ａに表示させる場合も同様の問題が生じる。特に表示装置Ａの場合、表示装置Ａの姿勢を縦長姿勢に変更することは困難であり、表示装置Ａの姿勢変更により前記問題を解決することはできない。
【０００７】
また動画撮像装置は、横撮り姿勢を標準的な撮像形態として設計されているため、動画撮像装置を縦撮り姿勢に保持して再生する場合、最適な操作姿勢で動画撮像装置を把持し、再生の操作を行うことができない。特に、撮像途中で縦撮りと横撮りを繰り返し変更して動画を記録した場合、再生される動画の被写体の向きが縦向きから横向き又は横向きから縦向きに変化するため、前記動画を再生する場合においても動画の向きに応じて動画撮像装置が備える表示部３の姿勢を繰り返し変更する必要があり、好適の動画再生を行うことができないという問題があった。
【０００８】
本発明は斯かる事情に鑑みてなされたものであり、表示部が縦長姿勢となる縦撮り姿勢で動画が撮像されたことを示す縦撮情報を記録する手段と、縦撮りした動画を再生する際、縦撮情報に基づいて動画を略９０度回転させて横長姿勢の表示部に表示させる回転表示手段とを備えることにより、動画撮像装置を横撮り姿勢に保持した状態で、横長姿勢の表示部に縦長の動画を表示させることができる動画撮像装置を提供することを目的とする。
【０００９】
また、横長姿勢にある表示部の右又は左倒しのいずれの縦長姿勢であるかを示す情報を記録する記録手段と、縦撮りした動画を再生する際、前記情報に基づいて動画を略９０度右回り又は左回りに回転させて横長姿勢の表示部に表示させる回転表示手段を備えることにより、動画撮像装置を左右いずれの方向に倒して縦撮りした場合であっても、動画撮像装置を横撮り姿勢に保持した状態で、横長姿勢の表示部に縦長の画像を表示させることができる動画撮像装置を提供することを他の目的とする。
【００１０】
更に、撮像素子を動画撮像部に対して回動自在に支持する回動支持部と、横長姿勢の表示部に対して縦長姿勢にある撮像素子により動画が撮像されたことを示す縦撮情報を記録する手段とを備え、縦撮りした動画を再生する際、縦撮情報に基づいて動画を略９０度回転させて表示部に表示させるように構成することにより、動画撮像装置を横撮り姿勢に保持したまま動画の縦撮りを行い、縦撮りした動画を横長姿勢の表示部に縦長の動画として表示させることができる動画撮像装置を提供することを他の目的とする。
【００１１】
更にまた、横長姿勢の表示部に対して撮像素子を縦長姿勢にする指示を受け付ける受付手段と、縦撮りの指示を受け付けた場合、横長姿勢の撮像素子を略９０度回動させて縦長姿勢にする回動手段とを備えることにより、受付手段に縦撮りの指示を与えて撮像素子を自動的に横長姿勢から縦長姿勢に変更し、動画撮像装置を横撮り姿勢に保持したまま動画を縦撮りすることができる動画撮像装置を提供することを他の目的とする。
【００１２】
更にまた、動画撮像部が縦長姿勢の撮像素子で動画を撮像する場合、撮像した動画を略９０度回転させて横長姿勢の表示部に表示させるように構成することにより、横長姿勢の表示部に縦長の動画を表示しながら動画の縦撮りを行うことができる動画撮像装置を提供することを他の目的とする。
【００１３】
更にまた、縦撮りした複数の動画を再生する場合、縦撮りした複数の動画夫々を略９０度回転させ、横長姿勢の表示部に並べて表示させる手段を備えることにより、同時に複数の動画を再生させることができる動画撮像装置を提供することを他の目的とする。
【００１４】
更にまた、外部の表示装置を接続することができ、接続された表示装置に動画の出力を行う動画出力部を備えることにより、再生する動画を外部の表示装置に表示させることができる動画撮像装置を提供することを他の目的とする。
【課題を解決するための手段】
【００１５】
本発明に係る動画撮像装置は、略長方形の撮像素子を有し、動画を撮像する動画撮像部と、略長方形の表示部とを備え、前記表示部が横長姿勢の場合、前記動画撮像部は横長の動画を撮像し、撮像された動画を再生して横長姿勢の前記表示部に表示するようにしてある動画撮像装置において、前記動画撮像部が動画を撮像する場合、前記表示部が縦長姿勢にあることを検出する検出手段と、縦長姿勢にあることを前記検出手段が検出した場合、前記表示部を縦長姿勢にして動画が撮像されたことを示す縦撮情報及び前記動画を記録する記録手段と、該記録手段により記録した縦撮情報が付加された動画を再生する場合、記録した動画を略９０度回転させて前記横長姿勢の表示部に表示させる回転表示手段とを備えることを特徴とする。
【００１６】
本発明にあっては、検出手段は、表示部が縦長姿勢にあり、動画撮像装置が縦長の動画を撮像する縦撮り姿勢にある場合、表示部が縦長姿勢にあることを検出し、検出結果を示す縦撮情報は、撮像した動画の動画データに付加されて記録手段により記録される。そして、撮像した動画を再生する場合、記録した前記縦撮情報を参照し、参照した結果、再生する動画が縦撮りされた動画であると判定されたとき、回転表示手段は、動画を略９０度回転させ、横長姿勢の表示部に縦長の動画を表示させる。従って、縦撮りした動画を再生する場合、横長姿勢の表示部に縦長の動画が表示される。
【００１７】
本発明に係る動画撮像装置において、前記検出手段は、前記表示部が、横長姿勢にある表示部の右倒し又は左倒しのいずれの縦長姿勢にあるかを検出するようにしてあり、前記縦撮情報は、縦長姿勢にある表示部の右倒し又は左倒しに係る情報を含み、前記回転表示手段は、前記情報に応じて前記動画を右回り又は左回りに略９０度回転させて表示するようにしてあることを特徴とする。
【００１８】
本発明にあっては、検出手段は、横長姿勢の表示部を右倒し又は左倒しにしたいずれの縦撮り姿勢であるかを検出し、記録手段は、検出手段が検出した右倒し又は左倒しに係る情報を含む縦撮情報を、撮像した動画の動画データに付加して記録する。そして、記録した動画を再生する場合、前記縦撮情報に応じて、記録した動画を右回り又は左回りに略９０度回転させて横長姿勢の表示部に表示させる。従って、横長姿勢の表示部を左右いずれの方向に倒して縦撮りした場合であっても、横長姿勢の表示部に、縦長の動画を表示することができる。
【００１９】
本発明に係る動画撮像装置は、略長方形の撮像素子を有し、動画を撮像する動画撮像部と、略長方形の表示部とを備え、前記動画撮像部が撮像して記録した動画を再生して横長姿勢の前記表示部に表示するようにしてある動画撮像装置において、前記撮像素子の中心回りに前記撮像素子を回動自在に支持する回動支持部と、前記動画撮像部が動画を撮像する場合、前記撮像素子が前記横長姿勢の表示部に対して縦長姿勢にあることを検出する検出手段と、前記撮像素子が縦長姿勢にあることを前記検出手段が検出した場合、縦長姿勢で動画が撮像されたことを示す縦撮情報及び前記動画を記録する記録手段と、該記録手段により記録した縦撮情報が付加された動画を再生する場合、記録した動画を略９０度回転させて前記横長姿勢の表示部に表示させる回転表示手段とを備えることを特徴とする。
【００２０】
本発明にあっては、回動支持部は、撮像素子を動画撮像装置に対して回動自在に支持している。従って、前記撮像素子を回動させることにより、動画を撮像する際、動画撮像装置を横撮り姿勢に保持した状態で縦撮りを行うことができる。
【００２１】
検出手段は、横長姿勢の表示部に対して撮像素子が縦長姿勢にあることを検出し、検出結果を示す縦撮情報は、撮像した動画の動画データに付加されて記録手段により記録される。そして、撮像した動画を再生する場合、記録した前記縦撮情報を参照し、参照した結果再生する動画が縦撮りされた動画であると判定されたとき、回転表示手段は、動画を略９０度回転させ、横長姿勢の表示部に縦長の動画を表示させる。従って、縦撮りした動画を再生する場合、横長姿勢の表示部に縦長の動画が表示される。
【００２２】
本発明に係る動画撮像装置は、前記横長姿勢の表示部に対して前記撮像素子を縦長姿勢にする指示を受け付ける受付手段と、該受付手段が前記指示を受け付けた場合、前記撮像素子を略９０度回動させて縦長姿勢にする回動手段とを備えることを特徴とする。
【００２３】
本発明にあっては、受付手段が横長姿勢の表示部に対して撮像素子を縦長姿勢にする指示を受け付けた場合、横長姿勢の撮像素子を動画撮像部に対して略９０度回動させる。従って、受付手段に前記指示を与えることにより、自動的に撮像素子を回転させ、動画撮像装置を横撮り姿勢に保持した状態で縦長の動画を撮像することができる。
【００２４】
本発明に係る動画撮像装置において、前記回転表示手段は、前記撮像素子が縦長姿勢にあることを前記検出手段が検出した場合、前記動画撮像部が撮像した動画を略９０度回転させて前記横長姿勢の表示部に表示させる手段を備えることを特徴とする。
【００２５】
本発明にあっては、動画撮像部が縦長姿勢の撮像素子により動画を撮像する場合、回転表示手段は、撮像された動画を略９０度回転させて横長姿勢の表示部に表示する。従って、縦撮りする際、横撮り姿勢の動画撮像装置が備える横長姿勢の表示部に縦長の動画が表示される。
【００２６】
本発明に係る動画撮像装置において、前記回転表示手段は、前記記録手段により動画及び縦撮情報が複数記録されている場合、前記複数の動画を並べて表示させる手段を備えることを特徴とする。
【００２７】
本発明にあっては、縦撮りした複数の動画を同時に再生する場合、略９０度回転させた動画夫々を並べて横長姿勢の表示部に表示させることができる。従って、横長姿勢の表示部に複数の縦長の動画を並べて表示することができる。
【００２８】
本発明に係る動画撮像装置は、外部の表示装置が接続され、接続された表示装置に再生される動画を出力する手段を備えることを特徴とする。
【００２９】
本発明にあっては、外付けの表示装置に、再生する動画を出力して表示することができる。
【発明の効果】
【００３０】
本発明に係る動画撮像装置にあっては、縦撮りした動画を再生する際、横撮り姿勢に保持した動画撮像装置が備える横長姿勢の表示部に縦長の動画を表示させることができる。
【００３１】
本発明に係る動画撮像装置にあっては、右倒し又は左倒しのいずれの縦撮り姿勢で縦撮りした場合であっても、縦撮りした動画を再生する際、横長姿勢の表示部に被写体が正立した縦長の動画を表示させることができる。
【００３２】
本発明に係る動画撮像装置にあっては、動画撮像装置を横撮り姿勢に保持した状態で動画の縦撮りを行うことができ、更に縦撮りした動画を再生する際、横長姿勢の表示部に縦長の動画を表示させることができる。
【００３３】
本発明に係る動画撮像装置にあっては、受付手段に縦撮りの指示を与えることにより、撮像素子を自動的に略９０度回転させ、動画撮像装置を横撮り姿勢に保持した状態で縦撮りを行うことができる。
【００３４】
本発明に係る動画撮像装置にあっては、動画撮像装置を横撮り姿勢に保持したまま動画を縦撮りする場合、横撮り姿勢に保持した動画撮像装置が備える横長姿勢の表示部に縦長の動画を表示させることができる。
【００３５】
本発明に係る動画撮像装置にあっては、複数の縦撮りした動画を再生する場合、横長姿勢の表示部に縦長の動画を並べて表示させることができる。
【００３６】
本発明に係る動画撮像装置にあっては、再生する動画を外部の表示装置に表示させることができる。
【発明を実施するための最良の形態】
【００３７】
（実施の形態１）
以下、本発明をその実施の形態を示す図に基づいて詳述する。
【００３８】
図１は、本発明に係る動画撮像装置の略示斜視図である。図中、１は動画撮像部１０を備える略直方体の筐体である。動画撮像部１０は、被写体からの光を集光するレンズ１０ａ、及びレンズ１０ａで集光され結像した像をアナログの撮像信号に変換するアスペクト比が４／３の撮像素子１０ｂを有している。筐体１の背面視の左側面１ａには、アスペクト比が４／３の表示部３が枢支されており、背面１ｂには、電源スイッチ４ａ、動画の記録を開始させる記録ボタン４ｂ、動画の再生を開始させる再生ボタン４ｃ、記録及び再生を停止させる停止ボタン４ｄとが設けられている。
【００３９】
図２は、動画撮像装置の構成を示すブロック図である。動画撮像装置は、動画撮像部１０の撮像素子１０ｂが変換した撮像信号をデジタルの動画データに変換し、変換した動画データを画像処理部２３に出力する撮像信号処理部２２を備えている。撮像信号処理部２２のデータ処理は制御部２１により制御され、また制御部２１は以下に述べる各構成部を制御する。
【００４０】
画像処理部２３は、画像処理用のワークメモリ２４を備えており、ワークメモリ２４を用いて撮像信号処理部２２で変換された動画データに係る動画の色補正、動画を右回り又は左回りに略９０度回転させる回転処理を行い、画像処理した動画の動画データをビデオコーデック部２５に出力する。ビデオコーデック部２５は、画像処理部２３で画像処理された画像データを、ＭＰＥＧ２又はＭｏｔｉｏｎＪＰＥＧ等の圧縮伸張方式により圧縮する機能を有している。ＭｏｔｉｏｎＪＰＥＧにより圧縮する場合、動画を形成する時系列順に並ぶ複数の静止画夫々をＪＰＥＧ形式のフォーマットにより圧縮する。動画撮像装置は、ビデオコーデック部２５で圧縮された動画データを、磁気テープ、ＤＶＤ、又は半導体メモリ等の記録媒体２７に記録し、記録媒体２７に記録した動画データを再生する記録再生部２６を備えている。
【００４１】
記録再生部２６によって記録及び再生される動画は、表示部３又は動画出力部５に接続された外付けの表示装置Ａに表示されるように構成されている。動画出力部５は、ＤＶ端子を備え、動画データを表示装置Ａに表示させるビデオ信号を出力する。
【００４２】
動画撮像装置は、動画撮像部１０が縦撮り姿勢にあることを検出する姿勢検出部２０を備えている。姿勢検出部２０は、例えばフォトダイオードと、フォトダイオードに対向配置された２つのフォトトランジスタと、フォトダイオードから２つのフォトトランジスタに入射する光を遮り、姿勢検出部２０の姿勢に応じて転動可能な遮光球とを備える公知の２相フォトインタラプタにより構成されている。２相フォトインタラプタの姿勢が変化した場合、遮光球の位置が変化して、２つのフォトトランジスタの遮光状態が変化し、２つのフォトトランジスタの出力（Ｐ１，Ｐ２）が変化する（但し、Ｐ１＝０ｏｒ１、Ｐ２＝０ｏｒ１）。Ｐ１及びＰ２は、夫々２つのフォトトランジスタの出力を示している。そして、動画撮像部１０が横撮り姿勢にある場合、姿勢検出部２０の出力が（１，１）となり、右倒し又は左倒しの縦撮り姿勢にある場合、出力が夫々（１，０）、（０，１）となるように、姿勢検出部２０を動画撮像部１０の適宜箇所に実装する。
【００４３】
制御部２１は、姿勢検出部２０の出力（Ｐ１，Ｐ２）を検出することにより、動画撮像部１０の撮像姿勢を判定する。電源スイッチ４ａ、記録ボタン４ｂ、再生ボタン４ｃ、及び停止ボタン４ｄは、制御部２１により操作状態が検出されるように構成されている。
【００４４】
次に、制御部２１による動画の記録及び再生の処理手順を説明する。図３及び図４は、動画の記録及び再生に係る処理手順を示すフローチャートである。
【００４５】
電源スイッチ４ａがオンになった場合、制御部２１は、記録ボタン４ｂの操作状態を検出し、記録ボタン４ｂが押されているか否かを判定する（ステップＳ１）。記録ボタン４ｂが押されていると判定した場合（ステップＳ１：ＹＥＳ）、撮像素子１０ｂからの撮像信号をデジタルの動画データにＡＤ変換する（ステップＳ２）。また、制御部２１は画像処理した動画データに係る動画を表示部３に表示させる（ステップＳ３）。又は、画像処理した動画データに係る動画を動画出力部５に接続されている表示装置Ａに表示させる。そして、制御部２１は、画像処理した画像をビデオコーデック部２５でＭｏｔｉｏｎＪＰＥＧの圧縮伸張方式により圧縮する（ステップＳ４）。
【００４６】
次いで、制御部２１は、姿勢検出部２０の出力（Ｐ１，Ｐ２）を検出し（ステップＳ５）、検出した出力（Ｐ１，Ｐ２）を動画撮像部１０の姿勢を示す姿勢情報（Ｑ１，Ｑ２）に設定する（ステップＳ６）。そして、制御部２１は、設定した姿勢情報（Ｑ１，Ｑ２）をステップＳ４で圧縮した動画データに付加して、記録媒体２７に記録する（ステップＳ７）。
【００４７】
次いで制御部２１は、停止ボタン４ｄの操作状態を検出し、停止ボタン４ｄが押されているか否かを判定する（ステップＳ８）。
【００４８】
停止ボタン４ｄが押されていると判定した場合（ステップＳ８：ＹＥＳ）、又はステップＳ１において記録ボタン４ｂが押されていないと判定した場合（ステップＳ１：ＮＯ）、制御部２１は、再生ボタン４ｃの操作状態を検出し、再生ボタン４ｃが押されているか否かを判定する（ステップＳ９）。停止ボタン４ｄが押されていないと判定した場合（ステップＳ８：ＮＯ）、制御部２１は処理をステップＳ２に戻す。  
【００４９】
再生ボタン４ｃが押されていると判定した場合（ステップＳ９：ＹＥＳ）、制御部２１は、記録媒体２７に記録されている動画データを読み出し（ステップＳ１０）、読み出した動画データをビデオコーデック部２５で伸張する（ステップＳ１１）。そして、制御部２１は、伸張した動画データに付加された姿勢情報（Ｑ１，Ｑ２）が（１，１）であるか否かを判定する（ステップＳ１２）。つまり、横撮り姿勢で撮像された動画であるか否かを判定する。
【００５０】
姿勢情報（Ｑ１，Ｑ２）が（１，１）でないと判定した場合（ステップＳ１２：ＮＯ）、制御部２１は、姿勢情報のＱ２が０であるか否かを判定する（ステップＳ１３）。つまり、右倒しの縦撮り姿勢で撮像された動画であるか否かを判定する。そして、姿勢情報のＱ２が０であると判定した場合（ステップＳ１３：ＹＥＳ）、制御部２１は、ステップＳ１１で伸張した動画データに係る動画を、画像処理部２３において右回りに略９０度回転させ、略９０度回転させた縦長の画像を略３／４倍に縮小する（ステップＳ１４）。具体的には、ＭｏｔｉｏｎＪＰＥＧフォーマットの動画は、ビデオコーデック部２５によって時系列の複数の静止画データとして伸張され、画像処理部２３は、伸張された各静止画夫々を時系列順に略９０度回転させる。また略９０度回転させた動画を略３／４倍に縮小することにより、横長姿勢の表示部３に縦長の動画全体を表示させることができる。
【００５１】
姿勢情報のＱ２が０でないと判定した場合（ステップＳ１３：ＮＯ）、つまり左倒しの縦撮り姿勢で撮像された動画であると判定した場合、制御部２１は、ステップＳ１１で伸張した動画データに係る動画を、画像処理部２３において左回りに略９０度回転させ、略９０度回転させた縦長の画像を略３／４倍に縮小する（ステップＳ１５）。
【００５２】
ステップＳ１４若しくはステップＳ１５の処理を終えた場合、又はステップＳ１２において（Ｑ１，Ｑ２）が（１，１）であると判定した場合（ステップＳ１２：ＹＥＳ）、制御部２１は、姿勢情報（Ｑ１，Ｑ２）に応じて処理された動画を表示部３に表示させる（ステップＳ１６）。
【００５３】
次いで、制御部２１は、停止ボタン４ｄの操作状態を検出し、停止ボタン４ｄが押されているか否かを判定する（ステップＳ１７）。停止ボタン４ｄが押されていないと判定した場合（ステップＳ１７：ＮＯ）、制御部２１は、処理をステップＳ１０に戻す。
【００５４】
停止ボタン４ｄが押されていると判定した場合（ステップＳ１７：ＹＥＳ）、又はステップＳ９において再生ボタン４ｃが押されていないと判定した場合（ステップＳ９：ＮＯ）、制御部２１は、電源スイッチ４ａの操作状態を検出し、電源スイッチ４ａがオンになっているか否かを判定する（ステップＳ１８）。電源スイッチ４ａがオンになっていると判定した場合（ステップＳ１８：ＹＥＳ）、制御部２１は処理をステップＳ１に戻す。電源スイッチ４ａがオフになっていると判定した場合（ステップＳ１８：ＮＯ）、制御部２１は処理を終了する。
【００５５】
図５は、表示部３に表示される縦撮り及び横撮りされた動画の模式図である。図５（ａ）は、横撮り姿勢で撮像された動画を再生する場合に表示部３又は表示装置Ａに表示される動画である。動画撮像部１０を横撮り姿勢に保持した状態で動画を撮像する場合、ステップＳ７の処理により、（１，１）の姿勢情報が付加された動画データが記録媒体２７に記録される。このように記録された動画データを再生する場合、動画データには（１，１）の縦撮情報が付加されているため、ステップＳ１２及びＳ１６の処理により横長の動画がそのまま横長姿勢の表示部３に表示される。
【００５６】
図５（ｂ）は、縦撮り姿勢で撮像された動画を再生する場合に表示部３又は表示装置Ａに表示される動画である。動画撮像部１０を右倒し又は左倒しにした縦撮り姿勢で動画を撮像する場合、ステップＳ６及びＳ７の処理により、右倒し又は左倒しの縦撮り状態で動画が撮像されたことを示す姿勢情報（１，０）又は（０，１）が動画データに付加されて記録される。姿勢情報（１，０）又は（０，１）が付加されている動画データを再生する場合、姿勢情報（Ｑ１，Ｑ２）に応じて右回り又は左回りに略９０度回転した縦長の動画が横長姿勢の表示部３又は表示装置Ａに表示される。従って、右倒し又は左倒しの縦撮り姿勢に保持して動画を撮像し、記録した場合であっても、動画撮像部１０を横撮り姿勢に保持した横長姿勢の表示部３又は表示装置Ａに被写体が正立した縦長の動画が表示部３に表示される。
【００５７】
また、動画を構成するフレーム毎に姿勢情報（Ｑ１，Ｑ２）を付加するため、撮像の最中に動画撮像部１０を横撮り姿勢又は縦撮り姿勢に変化させた場合であっても、再生されて表示部３又は表示装置Ａに表示される動画は撮像されたときの姿勢に応じて回転処理されるため、被写体が正立した横長又は縦長の動画が横長姿勢の表示部３又は表示装置Ａに表示される。従って、動画を再生する場合、動画撮像装置の姿勢を横長姿勢に保持した状態で、横長姿勢の表示部３又は表示装置Ａに被写体が正立した動画を表示させることができる。
【００５８】
なお、本実施の形態にあっては、横長姿勢の表示部３に縦撮りした動画を１つ表示させているが、表示部３に縦撮りした動画を２つ以上表示させても良い。
【００５９】
図６は、縦撮りした動画が２つ以上表示されている表示部３の模式図である。制御部２１は、縦撮りされた２つの動画を再生する場合、再生する夫々の動画データを読み出し、読み出した動画データに係る動画夫々を略９０度回転させる。そして、略９０度回転させて動画を並置した画像を生成し、生成した動画を図６に示すように表示部３に表示させる。
【００６０】
変形例に係る動画撮像装置にあっては、縦撮りして２つの動画を同時に表示部３に表示させることができる。
【００６１】
（実施の形態２）
図７は、実施の形態２に係る動画撮像装置の略示断面図であり、図８は動画撮像装置の構成を示すブロック図である。本発明に係る動画撮像装置は、レンズ１０ａ及び撮像素子１０ｂを収容する収容筒６と、中空略直方体の筐体１０１とを備えている。
【００６２】
収容筒６は、収容筒６の中心線と光軸とが一致するようにレンズ１０ａ及び撮像素子１０ｂを内部に収容しており、撮像素子１０ｂは、レンズ１０ａの後方で収容筒６の内側に固定された円盤状の基板１０ｃに支持されている。収容筒６の後端面外側中央部分には、回動筒６ａが光軸方向に突設されている。筐体１０１は、回動筒６ａが嵌入される嵌入孔１１２を端面に有する有底円筒形の支持部１１１を上側に有し、嵌入孔１１２に嵌入された回動筒６ａは支持部１１１に対して回動自在に支持されている。支持部１１１は、筐体１０１及び収容筒６が全体として略直方体になるように形成されている。
【００６３】
嵌入孔１１２に嵌入された回動筒６ａの、支持部１１１内側の部分には嵌入孔１１２より大径の抜け止め環６ｃが外嵌固定されており、抜け止め環６ｃは、回動筒６ａの中心軸方向の移動を係止して回動筒６ａの嵌入孔１１２からの抜け落ちを防止している。回動筒６ａには、制御部１２１と撮像素子１０ｂとを接続する図示しないリード線が通じている。
【００６４】
支持部１１１は、収容筒６を筐体１０１に対して回動させる回動機構７を備えている。回動機構７は、回動筒６ａの端部に外嵌固定された大歯車７ａと、大歯車７ａに噛合する小歯車７ｂと、小歯車７ｂを出力軸に備え、筐体１０１の適宜箇所に固定されたステッピングモータ７ｃとから構成される。ステッピングモータ７ｃが回転した場合、ステッピングモータ７ｃの回転は小歯車７ｂ及び大歯車７ａを介して回動筒６ａに減速伝達され、収容筒６は筐体１０１に対して回動する。ステッピングモータ７ｃの回転は、制御部１２１により制御される。
【００６５】
図９は、図７のIX−IX線断面図、図１０は、図７のＸ−Ｘ線断面図である。支持部１１１が有する嵌入孔１１２の内側には弧状の溝部１１３が形成されてあり、回動筒６ａの外周面には、溝部１１３に嵌め込まれ、溝部１１３に沿って回動する凸状のストッパ６ｂが突設されている。回動筒６ａは、図９（ａ）に示すように、ストッパ６ｂが溝部１１３の一端１１３ａに当接した状態から、図９（ｂ）に示すように、ストッパ６ｂが溝部１１３の他端１１３ｂに当接した状態まで回動することができる。
【００６６】
ストッパ６ｂが溝部１１３の一端１１３ａに当接している場合、図１０（ａ）に示すように撮像素子１０ｂが縦長姿勢となり、ストッパ６ｂが溝部１１３の他端１１３ｂに当接している場合、図１０（ｂ）に示すように撮像素子１０ｂが横長姿勢になるように、回動筒６ａは支持部１１１に支持されている。撮像素子１０ｂが縦長姿勢にある場合、撮像素子１０ｂの長辺と表示部３の長辺とが略垂直となり、撮像素子１０ｂが横長姿勢にある場合、撮像素子１０ｂの長辺と表示部３の長辺とが略平行となる。従って、横長姿勢にある撮像素子１０ｂを一方向に略９０度回動させ、縦長姿勢にすることができる。
【００６７】
支持部１１１は、ストッパ６ｂが溝部１１３の一端１１３ａにあることを検出する第１フォトインタラプタ８ａ、及び溝部１１３の他端１１３ｂにあることを検出する第２フォトインタラプタ８ｂを備えている。制御部１２１は、第１及び第２フォトインタラプタ８ａ、８ｂによってストッパ６ｂの位置を検出して、ステッピングモータ７ｃの回転を制御する。
【００６８】
動画撮像装置は、動画撮像部１０を横撮り姿勢に保持したまま行う縦撮り及び横撮りを相互に切り替える切り替えボタン１０４ｅを筐体１０１の背面の適宜箇所に有している。切り替えボタン１０４ｅは、縦撮りから横撮りへの切り替えと、横撮りから縦撮りへの切り替えとに兼用されている。切り替えボタン１０４ｅの操作状態は、制御部１２１により検出することができるように構成されている。
【００６９】
図１１乃至図１３は、実施の形態２に係る制御部１２１の処理手順を示すフローチャートである。制御部１２１は、電源スイッチ４ａがオンになった場合、撮像素子１０ｂが横撮り姿勢の筐体１０１に対して縦長姿勢にあるか否かを示すフラグＦに値０を設定する（ステップＳ１０１）。次いで、制御部１２１は、記録ボタン４ｂの操作状態を検出し、記録ボタン４ｂが押されているか否かを判定する（ステップＳ１０２）。
【００７０】
記録ボタン４ｂが押されていると判定した場合（ステップＳ１０２：ＹＥＳ）、制御部１２１は、切り替えボタン１０４ｅが押されているか否かを判定する（ステップＳ１０３）。切り替えボタン１０４ｅが押されていると判定した場合（ステップＳ１０３：ＹＥＳ）、制御部１２１はフラグＦの値が０であるか否かを判定する（ステップＳ１０４）。
【００７１】
フラグＦの値が０であると判定した場合（ステップＳ１０４：ＹＥＳ）、制御部１２１はフラグＦに値１を設定し（ステップＳ１０５）、ステッピングモータ７ｃを所定数回転させて、ストッパ６ｂが一端１１３ａ側のａ方向に回動するように回動筒６ａを回動させる（ステップＳ１０６）。次いで、制御部１２１は第１フォトインタラプタ８ａが遮光状態にあるか否かを判定する（ステップＳ１０７）。第１フォトインタラプタ８ａが遮光状態にあると判定した場合（ステップＳ１０７：ＹＥＳ）、制御部１２１は、ステッピングモータ７ｃの回転制御を終え、撮像信号をＡＤ変換するステップＳ１１１の処理を行う。第１フォトインタラプタ８ａが遮光状態にないと判定した場合（ステップＳ１０７：ＮＯ）、制御部１２１は処理をステップＳ１０６に戻す。
【００７２】
ステップＳ１０６、Ｓ１０７の処理により、撮像素子１０ｂが縦長姿勢になるまで収容筒６は支持部１１１に対して回動する。
【００７３】
フラグＦの値が０でないと判定した場合（ステップＳ１０４：ＮＯ）、制御部１２１はフラグＦに値０を設定し（ステップＳ１０８）、ステッピングモータ７ｃを所定数回転させて、ストッパ６ｂが他端１１３ｂ側のｂ方向に回動するように回動筒６ａを回動させる（ステップＳ１０９）。次いで、制御部１２１は、第２フォトインタラプタ８ｂが遮光状態にあるか否かを判定する（ステップＳ１１０）。第２フォトインタラプタ８ｂが遮光状態にあると判定した場合（ステップＳ１１０：ＹＥＳ）、制御部１２１は、ステッピングモータ７ｃの回転制御を終え、撮像信号をＡＤ変換するステップＳ１１１の処理を行う。第２フォトインタラプタ８ｂが遮光状態にないと判定した場合（ステップＳ１１０：ＮＯ）、制御部１２１は処理をステップＳ１０９に戻す。
【００７４】
ステップＳ１０９、Ｓ１１０の処理により、撮像素子１０ｂが横長姿勢になるまで収容筒６は支持部１１１に対して回動する。
【００７５】
ステップＳ１０３において切り替えボタン１０４ｅが押されていないと判定した場合（ステップＳ１０３：ＮＯ）、制御部１２１は、撮像素子１０ｂからの撮像信号をデジタルの動画データにＡＤ変換する（ステップＳ１１１）。次いで、制御部１２１は、フラグＦの値が１であるか否かを判定する（ステップＳ１１２）。フラグＦが１であると判定した場合（ステップＳ１１２：ＹＥＳ）、制御部１２１は、ステップＳ１１１でＡＤ変換した動画データに係る動画を略９０度回転させる（ステップＳ１１３）。ステップＳ１１３の処理を終えた場合、又はステップＳ１１２においてフラグＦが１ではないと判定した場合（ステップＳ１１２：ＮＯ）、制御部１２１は、フラグＦの値に応じて処理した動画を表示部３又は表示装置Ａに表示させる（ステップＳ１１４）。
【００７６】
次いで、制御部１２１はステップＳ１１１でＡＤ変換した動画データをビデオコーデック部２５でＭｏｔｉｏｎＪＰＥＧの圧縮伸張方式により圧縮する（ステップＳ１１５）。そして、制御部１２１は、撮像素子１０ｂの姿勢を示す姿勢情報ＱにフラグＦの値を設定し（ステップＳ１１６）、設定した姿勢情報ＱをステップＳ１１５で圧縮した動画データに付加して、記録媒体２７に記録する（ステップＳ１１７）。
【００７７】
次いで制御部１２１は、停止ボタン４ｄの操作状態を検出し、停止ボタン４ｄが押されているか否かを判定する（ステップＳ１１８）。停止ボタン４ｄが押されていると判定した場合（ステップＳ１１８：ＹＥＳ）、又はステップＳ１０２において記録ボタン４ｂが押されていないと判定した場合（ステップＳ１０２：ＮＯ）、制御部１２１は、再生ボタン４ｃの操作状態を検出し、再生ボタン４ｃが押されているか否かを判定する（ステップＳ１１９）。停止ボタン４ｄが押されていないと判定した場合（ステップＳ１１８：ＮＯ）、制御部１２１は処理をステップＳ１０３に戻す。  
【００７８】
再生ボタン４ｃが押されていると判定した場合（ステップＳ１１９：ＹＥＳ）、制御部１２１は、記録媒体２７に記録されている動画データを読み出し（ステップＳ１２０）、読み出した動画データをビデオコーデック部２５で伸張する（ステップＳ１２１）。そして、制御部１２１は、伸張した動画データに付加された姿勢情報Ｑが１であるか否かを判定する（ステップＳ１２２）。つまり、縦撮り姿勢で撮像された動画であるか否かを判定する。
【００７９】
姿勢情報Ｑが１であると判定した場合（ステップＳ１２２：ＹＥＳ）、制御部１２１は、ステップＳ１２１で伸張した動画データに係る動画を、画像処理部２３において略９０度回転させ、略９０度回転させた縦長の画像を略３／４倍に縮小する（ステップＳ１２３）。ステップＳ１２３の処理を終えた場合、又はステップＳ１２２においてＱが１でないと判定した場合（ステップＳ１２２：ＮＯ）、制御部１２１は、姿勢情報Ｑに応じて処理された動画を表示部３に表示させる（ステップＳ１２４）。
【００８０】
次いで、制御部１２１は、停止ボタン４ｄの操作状態を検出し、停止ボタン４ｄが押されているか否かを判定する（ステップＳ１２５）。停止ボタン４ｄが押されていないと判定した場合（ステップＳ１２５：ＮＯ）、制御部１２１は、処理をステップＳ１２０に戻す。
【００８１】
停止ボタン４ｄが押されていると判定した場合（ステップＳ１２５：ＹＥＳ）、又はステップＳ１１９において再生ボタン４ｃが押されていないと判定した場合（ステップＳ１１９：ＮＯ）、制御部１２１は、電源スイッチ４ａの操作状態を検出し、電源スイッチ４ａがオンになっているか否かを判定する（ステップＳ１２６）。電源スイッチ４ａがオンになっていると判定した場合（ステップＳ１２６：ＹＥＳ）、制御部１２１は処理をステップＳ１０２に戻す。
【００８２】
電源スイッチ４ａがオフになっていると判定した場合（ステップＳ１２６：ＮＯ）、制御部１２１は、ステッピングモータ７ｃを回転させ、回動筒６ａをｂ方向に回動させる（ステップＳ１２７）。次いで、制御部１２１は、第２フォトインタラプタ８ｂが遮光状態にあるか否かを判定する（ステップＳ１２８）。第２フォトインタラプタ８ｂが遮光状態にあると判定した場合（ステップＳ１２８：ＹＥＳ）、制御部１２１は処理を終える。第２フォトインタラプタ８ｂが遮光状態にないと判定した場合（ステップＳ１２８：ＮＯ）、制御部１２１は処理をステップＳ１２７に戻す。
【００８３】
その他の実施の形態２に係る動画撮像装置の構成は、実施の形態１に示した構成と同様であるので、同様の箇所には同様の符号を付して、詳細な説明を省略する。
【００８４】
このように構成される動画撮像装置にあっては、フラグＦが０の場合、つまり撮像素子１０ｂが横長姿勢の場合に切り替えボタン１０４ｅが押されたとき、ステップＳ１０６及びＳ１０７の処理によって回動筒６ａは本体部に対してａ方向に回動し、ストッパ６ｂは溝部１１３の一端１１３ａまで回動する。ストッパ６ｂが溝部１１３の一端１１３ａにある場合、撮像素子１０ｂは縦長姿勢となる。また、フラグＦが１の場合、つまり撮像素子１０ｂが縦長姿勢の場合に切り替えボタン１０４ｅが押されたとき、ステップＳ１０９及びＳ１１０の処理によって回動筒６ａは本体部に対してｂ方向に回動し、撮像素子１０ｂが横撮り姿勢の状態に戻る。従って、切り替えボタン１０４ｅの操作により撮像装置を横撮り姿勢に保持したまま、動画の縦撮り及び横撮りを行うことができる。
【００８５】
また、フラグＦが１で、横長姿勢の表示部３に対して撮像素子１０ｂが縦長である場合、ステップＳ１１３及びＳ１１４の処理によって画像が略９０度回転されて表示部３に表示される。従って、横長姿勢の表示部３に縦撮りされた縦長の動画を表示することができる。
【００８６】
更に、縦撮りした動画を再生して表示部３又は表示装置Ａに表示させる場合、動画データには姿勢情報Ｑ＝１が付加されているため、ステップＳ１２３及びＳ１２４の処理によって略９０度回転した縦長の動画が横長姿勢の表示部３又は表示装置Ａに表示される。従って、横長姿勢の表示部３又は表示装置Ａに縦撮りした縦長の動画を表示することができる。
【図面の簡単な説明】
【００８７】
【図１】本発明に係る動画撮像装置の略示斜視図である。
【図２】動画撮像装置の構成を示すブロック図である。
【図３】動画の記録及び再生に係る処理手順を示すフローチャートである。
【図４】動画の記録及び再生に係る処理手順を示すフローチャートである。
【図５】表示部に表示される縦撮り及び横撮りされた動画の模式図である。
【図６】縦撮りした２つの動画が表示されている表示部の模式図である。
【図７】実施の形態２に係る動画撮像装置の略示断面図である。
【図８】実施の形態２に係る動画撮像装置の構成を示すブロック図である。
【図９】図７のIX−IX線断面図である。
【図１０】図７のＸ−Ｘ線断面図である。
【図１１】実施の形態２に係る制御部の処理手順を示すフローチャートである。
【図１２】実施の形態２に係る制御部の処理手順を示すフローチャートである。
【図１３】実施の形態２に係る制御部の処理手順を示すフローチャートである。
【図１４】従来の動画撮像装置の略示斜視図である。
【符号の説明】
【００８８】
１  筐体
３  表示部
４ａ  電源スイッチ
４ｂ  記録ボタン
４ｃ  再生ボタン
４ｄ  停止ボタン
５  動画出力部
６  収容筒
７  回動機構
８ａ  第１フォトインタラプタ
８ｂ  第２フォトインタラプタ
１０  動画撮像部
１０ａ  レンズ
１０ｂ  撮像素子
２０  姿勢検出部
２１  制御部
２２  撮像信号処理部
２３  画像処理部
２４  ワークメモリ
２５  ビデオコーデック部
２６  記録再生部
２７  記録媒体
１０１  筐体
１１１  支持部
１１２  嵌入孔
１１３  溝部
１０４ｅ  切り替えボタン
１２１  制御部
【図１】
2005341087.tif 000003
【図２】
2005341087.tif 000004
【図３】
2005341087.tif 000005
【図４】
2005341087.tif 000006
【図５】
2005341087.tif 000007
【図６】
2005341087.tif 000008
【図７】
2005341087.tif 000009
【図８】
2005341087.tif 000010
【図９】
2005341087.tif 000011
【図１０】
2005341087.tif 000012
【図１１】
2005341087.tif 000013
【図１２】
2005341087.tif 000014
【図１３】
2005341087.tif 000015
【図１４】
2005341087.tif 000016